(57)【特許請求の範囲】
【請求項１】
前板、後板、および２枚の側板で胴部が形成され、上面には該胴部後板に連設された蓋板が、下面には底板が具備されている直方体状の紙箱において、
前板上部には、ミシン目状の切れ目線によって区画される区画部が設けられ、
前板の左右両側の稜線部には、複数の折り曲げ線による彎曲部が設けられ、蓋板には、前板に重なる糊代板が設けられ、この糊代板の左右両側には前記複数の折り曲げ線と略同数の複数の折り曲げ線を介して糊代舌片が連設され、さらに後板と糊代板が連設されていない方の相対する２辺の端縁には蓋舌片が折り曲げ線を介して連設され、
蓋舌片を側板に重なるように折り曲げ、糊代板を前板に重なるように折り曲げ、糊代舌片を蓋舌片に重なるように前板と側板の境界の綾線部と同じ曲率半径となるようにおりまげ、蓋舌片の表面と糊代舌片の裏面を接着させ、糊代板の表面と区画部の裏面を接着させることにより、側板、前板の裏側に糊代板及び糊代舌片、蓋舌片の順で接着している蓋舌片、糊代舌片が位置することになる紙箱であって、
ミシン目状の切れ目線より区画部を切断すると共に、区画部に接着している糊代板を蓋板と後板を連設している折り曲げ線を支軸として回動させると蓋板が開いて胴部が開口し、
前板を内側に押し込むと、前板、側板で形成した曲面状の綾線部が撓んで蓋板よりも幅が狭くなることで蓋板が閉じ、蓋板の縁部を形成する両蓋舌片と糊代板が、胴部の側壁の外側に被さり胴部の開口を閉鎖することを特徴とする再封可能な紙箱。
【発明の詳細な説明】
【０００１】
【発明の属する技術分野】
本発明は、菓子、スナック食品等の収納に適した再封可能な紙箱に関し、詳しくは、デザイン上の制約のない、開封したことが一目で判別できる再封可能な紙箱に関する。
【０００２】
【従来の技術】
一枚のブランクから組み立て、胴部と蓋部が一体となった被せ蓋式のフリップトップカートンと称される再封可能な紙箱がある。
このフリップトップカートンは、蓋部が胴部に被さるようにして密閉されているので、表面のデザイン上で制限を受け、また印刷時の位置合わせも困難である。表面に蓋部による段差が出てしまい、輸送時や陳列時の取扱いにも難点がある。さらに紙箱のみでは蓋を閉じれば、一度開封したものであるか否か判断がつきにくいので、その際にはフィルムで紙箱を包装する等の対策が必要になる。
【０００３】
【発明が解決しようとする課題】
本発明は、フリップトップタイプの紙箱に関する以上のような問題点に着目してなされたもので、デザイン上の制約のない、また、開封したことが一目で判別できる再封可能な紙箱を提供することを目的とする。
【０００４】
【課題を解決するための手段】
本発明は、前板、後板、および２枚の側板で胴部が形成され、上面には該胴部後板に連設された蓋板が、下面には底板が具備されている直方体状の紙箱において、
前板上部には、ミシン目状の切れ目線によって区画される区画部が設けられ、
前板の左右両側の稜線部には、複数の折り曲げ線による彎曲部が設けられ、蓋板には、前板に重なる糊代板が設けられ、この糊代板の左右両側には前記複数の折り曲げ線と略同数の複数の折り曲げ線を介して糊代舌片が連設され、さらに後板と糊代板が連設されてい
ない方の相対する２辺の端縁には蓋舌片が折り曲げ線を介して連設され、
蓋舌片を側板に重なるように折り曲げ、糊代板を前板に重なるように折り曲げ、糊代舌片を蓋舌片に重なるように前板と側板の境界の綾線部と同じ曲率半径となるようにおりまげ、蓋舌片の表面と糊代舌片の裏面を接着させ、糊代板の表面と区画部の裏面を接着させることにより、側板、前板の裏側に糊代板及び糊代舌片、蓋舌片の順で接着している蓋舌片、糊代舌片が位置することになる紙箱であって、
ミシン目状の切れ目線より区画部を切断すると共に、区画部に接着している糊代板を蓋板と後板を連設している折り曲げ線を支軸として回動させると蓋板が開いて胴部が開口し、
前板を内側に押し込むと、前板、側板で形成した曲面状の綾線部が撓んで蓋板よりも幅が狭くなることで蓋板が閉じ、蓋板の縁部を形成する両蓋舌片と糊代板が、胴部の側壁の外側に被さり胴部の開口を閉鎖することを特徴とする再封可能な紙箱である。
【０００５】
上記のように本発明によれば、前板の左右両側の稜線部には、複数の折り曲げ線による彎曲部が設けられ、蓋板には、前板に重なる糊代板が設けられ、この糊代板の左右両側には前記複数の折り曲げ線と略同数の複数の折り曲げ線を介して糊代舌片が連設され、糊代板の左右両側にも彎曲部が設けられているので、ミシン目状の切れ目線より区画部を切断し、区画部に接着している糊代板を蓋板と後板を連設している折り曲げ線を支軸として回動させると蓋板が開いて胴部が開口し、また、開いた蓋板を閉じると、蓋板の縁部を形成する両蓋舌片と糊代板が、胴部の側壁の外側に被さり胴部の開口を閉鎖することができる。
【０００６】
また、後板に連設された側板の表面に、前板に連設された側板の裏面を糊代舌片の上から接着させたので、蓋板の端縁が前板と側板に隠れて紙箱表面の段差がない。
【０００７】
さらに前板の左右両側および前板に重なる糊代板の左右両側の稜線部には、複数の折り曲げ線が設けられているので、紙箱にした際、上記稜線部は曲面状に折り曲げられ曲面を有する紙箱が組み上がる。
【０００８】
【発明の実施の形態】
以下実施例により本発明を詳細に説明する。
〈実施例１〉
図１は本発明の再封可能な紙箱の横充填タイプの一実施例における展開図で、図２は同実施例のスリーブを起こして収納物を充填する前の状態を示す模式説明図である。
【０００９】
本発明の再封可能な紙箱は、図１に示すように、前板１０、底板２０、後板３０、蓋板４０、糊代板５０がそれぞれ折り曲げ線を介して連設されている。
なお、蓋板４０の、蓋板と糊代板を連設する折り曲げ線上のほぼ中央部に、予め糊代板側に突出した例えばコの字状の切り込み線ｋを設けておいてもよい。
【００１０】
前板１０の左右両側には複数の折り曲げ線ａ、ｂを介してそれぞれ側板１１、１２が連設されている。
前板１０の底板２０が連設されていない方の端縁の略中央部には、ミシン目状の切れ目線ｃによって略Ｕ字状の区画部１３が区画されている。
【００１１】
底板２０の左右両側には折り曲げ線を介して舌片２１、２２がそれぞれ連設され、後板３０の左右両側には折り曲げ線を介して側板３１、３２がそれぞれ連設され、蓋板４０の左右両側には折り曲げ線を介して蓋舌片４１、４２がそれぞれ連設されている。側板３１、３２の蓋板４０に近い側の端縁は、蓋舌片４１、４２に糊代舌片５１、５２を接着させる目的で切り欠いてある。
【００１２】
糊代板５０の左右両側には、前板１０の左右両側に設けた複数の折り曲げ線ａ、ｂと略同数の複数の折り曲げ線ｄ、ｅを介してそれぞれ糊代舌片５１、５２が連設されている。
【００１３】
なお、底板２０の、前板１０と連設し、かつ、舌片２１、２２が連設する左右両端の角部は、紙箱に組み立てた際、前板１０の左右両側の複数の折り曲げ線によって設けられる彎曲部Ｂが見栄え良く彎曲するように、曲線状に施しておくと良い。
また同様に、蓋板４０の、糊代板５０と連設し、かつ、蓋舌片４１、４２が連設する左右両側の角部も曲線状に施しておくと良い。
【００１４】
組み立て並びに菓子等の収容物の充填は以下のようにする。
すなわち、前板１０、底板２０、後板３０、蓋板４０、糊代板５０をそれぞれ折り曲げ線をに沿って折り曲げると同時に、糊代板５０の表面の、区画部１３と重なる部分に、例えばホットメルト接着剤等を部分的に塗布して前板１０の区画部１３の裏面を重ねて接着させ、スリーブ状に折り畳み第１次作業が終了する。この折り畳んだ状態でスリーブの保管、あるいは輸送が行えるので場所をとらず優位である。
【００１５】
次に、例えば、折り畳んだスリーブを起こし、舌片２１と蓋舌片４１を折り曲げ線に沿って折り曲げ、ついで側板３１を折り曲げ線に沿って折り曲げ、この表面と蓋舌片４１の表面に例えばホットメルト接着剤を塗布しながら、側板１１と、側板１１と重なった糊代舌片５１を複数の折り曲げ線に沿って折り曲げ、側板３１と側板１１を重ねて接着する。
糊代舌片５１は、側板１１と重なっているため、側板１１を複数の折り曲げ線ａに沿って折り曲げると、同時に糊代舌片５１も複数の折り曲げ線ｄに沿って側板１１と同じ曲率半径で折り曲がり、蓋舌片４１と接着する。
【００１６】
前板１０と側板１１の境界の稜線部は、複数の折り曲げ線ａによって前板１０と側板１１は曲面状に折り曲げられるので、彎曲部Ｂを形成する。同様に糊代板５０と糊代舌片５１の境界の稜線部は、複数の折り曲げ線ａと略同数の複数の折り曲げ線ｄによって糊代板５０と糊代舌片５１は前板１０と側板１１の境界の稜線部と同じ曲面状に折り曲げられる。
【００１７】
つぎに、開いている反対側の口から菓子等の収容物を充填し、前記同様、舌片２２と蓋舌片４２を折り曲げ線に沿って折り曲げ、ついで側板３２を折り曲げ線に沿って折り曲げ、この表面と蓋舌片４２の表面に例えばホットメルト接着剤を塗布しながら、側板１２と、側板１２と重なった糊代舌片５２を複数の折り曲げ線に沿って折り曲げ、側板３２と側板１２を重ねて接着して、収容物の充填と製函という第２次作業が終了する。
なお、糊代舌片５２は、側板１２と重なっているため、側板１２を複数の折り曲げ線ｂに沿って折り曲げると、同時に糊代舌片５２も複数の折り曲げ線ｅに沿って側板１２と同じ曲率半径で折り曲がり、蓋舌片４２と接着する。
【００１８】
また、前板１０と側板１２の境界の稜線部は、複数の折り曲げ線ｂによって前板１０と側板１２は曲面状に折り曲げられるので、彎曲部Ｂを形成する。同様に糊代板５０と糊代舌片５２の境界の稜線部は、複数の折り曲げ線ｂと略同数の複数の折り曲げ線ｅによって糊代板５０と糊代舌片５２は前板１０と側板１２の境界の稜線部と同じ曲面状に折り曲げられる。
この充填と製函の一連の作業は、横型のカートニングマシンで自動的に行うことができる。
【００１９】
菓子等の収容物の取り出し並びに蓋の再封はつぎのようにして行う。
すなわち、蓋板の糊代板５０の区画部１３と重なっている部分を押し込みながら蓋板と後板が連設されている折り曲げ線を支軸として蓋板４０を上方に回動させると、区画部１３はミシン目状の切れ目線ｃに沿って前板１０から分離して蓋板４０は容易に開いて胴部Ａが開口し、収容物の取り出しが可能となる。
【００２０】
糊代板５０の稜線部の反発で舌片４１、４２が多少広がった蓋板４０は、再封する際は、舌片４１、４２が側板１１、１２の外側に嵌まり込み、そのまま蓋板を胴部Ａに被せると前板１０の中央部が膨らんでくる。この膨らみ部分を軽く押すと前板１０と側板１１、１２で形成した曲面状の稜線部が撓んで、蓋板は胴部に外側から被さって、蓋板の再封がなされる。
【００２１】
〈実施例２〉
後板の左右両側の稜線部にも複数の折り曲げ線による彎曲部を設け、紙箱の四隅を曲面状に組み立てた例で、図５は、平面図であり、図６は箱に組み立てた状態を示す斜視図である。
【００２２】
図５において、本発明の再封可能な紙箱は、実施例１と同様に前板１０、底板２０、後板３０、蓋板４０、糊代板５０がそれぞれ折り曲げ線を介して連設されている。
なお、蓋板４０の、蓋板と糊代板を連設する折り曲げ線上のほぼ中央部に、予め糊代板側に突出した例えばコの字状の切り込み線ｋを設けておいてもよい。
【００２３】
前板１０の左右両側には複数の折り曲げ線ａ、ｂを介してそれぞれ側板１１、１２が連設されている。
前板１０の底板２０が連設されていない方の端縁の略中央部には、ミシン目状の切れ目線ｃによって略Ｕ字状の区画部１３が区画されている。
【００２４】
底板２０の左右両側には折り曲げ線を介して舌片２１、２２がそれぞれ連設され、後板３０の左右両側には複数の折り曲げ線ｆ、ｇを介して側板３１、３２がそれぞれ連設され、蓋板４０の左右両側には折り曲げ線を介して蓋舌片４１、４２がそれぞれ連設されている。側板３１、３２の蓋板４０に近い側の端縁は、蓋舌片４１、４２に糊代舌片５１、５２を接着させる目的で切り欠いてある。
【００２５】
糊代板５０の左右両側には、前板１０の左右両側に設けた複数の折り曲げ線ａ、ｂと略同数の複数の折り曲げ線ｄ、ｅを介してそれぞれ糊代舌片５１、５２が連設されている。
【００２６】
なお、底板２０と蓋板４０の４隅は、紙箱に組み立てた際、前板１０および後板３０の左右両側の複数の折り曲げ線によって設けられる彎曲部Ｂが見栄え良く彎曲するように、曲線状に施しておくと良い。
【００２７】
箱の組み立て、菓子等の収容物の充填、並びに収容物の取り出し、蓋板の再封は、実施例１の場合と同様に行えば良い。詳細な説明は省略する（図６、７参照）。
【００２８】
【発明の効果】
上記のように本発明によれば、紙箱表面の段差がなくなり見栄えがよくなった。印刷時の位置合わせ等の面倒がなくなった。さらに、外装フィルム等がなくても開封したことが判別できるのでコストダウンができた。
【図面の簡単な説明】
【図１】本発明の一実施例を示す展開図である。
【図２】同実施例の、スリーブを起こして収納物を充填する前の状態を示す模式説明図である。
【図３】同実施例を箱に組み立てた状態を示す斜視図である。
【図４】同実施例の箱を開封後、再封した状態を示す斜視図である。
【図５】本発明の別の実施例を示す展開図である。
【図６】同実施例を箱に組み立てた状態を示す斜視図である。
【図７】同実施例の箱を開封後、再封した状態を示す斜視図である。
【符号の説明】
１０‥‥前板
１１、１２、３１、３２‥‥側板
１３‥‥区画部
２０‥‥底板
２１、２２‥‥舌片
３０‥‥後板
４０‥‥蓋板
４１、４２‥‥蓋舌片
５０‥‥糊代板
５１、５２‥‥糊代舌片
ａ、ｂ、ｄ、ｅ、ｆ、ｇ‥‥複数の折り曲げ線
ｃ‥‥ミシン目状の切れ目線
ｋ‥‥切り込み線
Ａ‥‥胴部
Ｂ‥‥彎曲部
Ｃ‥‥稜線部
【図１】
0004147598.tif 000002
【図２】
0004147598.tif 000003
【図３】
0004147598.tif 000004
【図４】
0004147598.tif 000005
【図５】
0004147598.tif 000006
【図６】
0004147598.tif 000007
【図７】
0004147598.tif 000008